(57)【要約】【課題】本発明は、集塵フィルタの清掃作業を簡略化することのできるショーケースを提供することにある。【解決手段】一面に開口部を有するケース本体を形成する外箱と底部パネル、背面パネル、天井パネルにより形成される内箱と、この外箱と内箱との間に、その左右を閉塞する一対の側板を備え、両端が開口部を臨む冷気吹出口および冷気吸込口、底部ダクト、背面ダクト、天井ダクトとからなる冷気循環通風路と、冷気循環通風路の背面ダクトに配設させた冷却器、冷気循環通風路の底部ダクトに庫内ファンと、前記内箱の背面パネルに上下複数段に並べて架設した商品陳列棚とを備えてなり、前記冷気吹出口から庫内前面域に冷気エアカーテンを吹出し形成して庫内を保冷する冷気循環式のショーケースにおいて、前記冷却器の上流側近傍で、かつ冷気循環通風路の背面ダクトに集塵フィルタを設けたことを特徴とする。【選択図】図１
2014045777.tif 000002
【特許請求の範囲】
【請求項１】
一面に開口部を有するケース本体を形成する外箱と底部パネル、背面パネル、天井パネルにより形成される内箱と、この外箱と内箱との間に、その左右を閉塞する一対の側板を備え、両端が開口部を臨む吹出口および吸込口、底部ダクト、背面ダクト、天井ダクトとからなる冷気循環通風路と、冷気循環通風路の背面ダクトに配設させた冷却器、冷気循環通風路の底部ダクトに庫内ファンと、前記内箱の背面パネルに上下複数段に並べて架設した商品陳列棚とを備えてなり、前記冷気吹出口から庫内前面域に冷気エアカーテンを吹出し形成して庫内を保冷する冷気循環式のショーケースにおいて、前記冷却器の上流側近傍で、かつ冷気循環通風路の背面ダクトに集塵フィルタを設けたことを特徴とするショーケース。
【請求項２】
請求項１に記載のショーケースにおいて、前記集塵フィルタは、前記冷却器の上流側近傍で、かつ冷気循環通風路の背面ダクト内略全幅に亘るように設けたことを特徴とするショーケース。
【請求項３】
請求項１または請求項２に記載のショーケースにおいて、前記集塵フィルタは、前記冷却器の上流側近傍で、かつ前記冷却器の端板から突き出して前後方向に延在する左右一対の略コ字形になる支持枠が向かい合わせに形成され、この支持枠に架け渡して保持されることを特徴とするショーケース。
【発明の詳細な説明】
【技術分野】
【０００１】
本発明は、ケース本体の庫内に上下複数段に並ぶ商品陳列棚を架設し、冷気循環通風路に設置した庫内ファン、冷却器を通じて庫内前面に冷気エアカーテンを形成して商品を保冷するショーケースに関する。
【背景技術】
【０００２】
従来、この種のショーケースとしては、一面に開口部を有するケース本体の外箱と内箱との間に、両端が開口部を臨んで冷気吹出口および冷気吸込口を画成した冷気の冷気循環通風路内に冷却器および庫内ファンとを備え、開口部の下端側に位置する冷気吸込口から冷気循環通風路内に庫内ファンにより吸込んだ空気を冷却器によって冷却し、前面開口部の上端側に位置する冷気吹出口から吹き出すことにより、ケース本体の前面開口部に冷気エアカーテンを形成するようにしたものが知られている。
【０００３】
また、前記ショーケースでは、冷気吸込口から冷気循環通風路内に侵入する空気中の塵埃や冷却器の冷却能力の低下を防止するために、冷気吸込口にフィルタを設けたものが知られている（例えば、特許文献１参照）。
【０００４】
具体的には、図３に示すように、このオープンショーケースの本体ケース１は前面に商品取出用開口部１ａを有する断面略コ字形をなし、断熱壁でなる外箱２と内方に庫内４を形成する内箱３により構成され、この内箱３と外箱２との間には冷気循環通風路５が形成される。
【０００５】
庫内４を形成する内箱３は、底部のデッキパン３ａ、背面パネル３ｂ、天井パネル３ｃからなり、この内箱３の背面パネル３ｂに棚ブラケット６ａを介して上下複数段に並べて架設した商品陳列棚６が配設される。
【０００６】
冷気循環通風路５は、本体ケース１の前面下部上端に図示しない多数の長孔からなる吸込口カバーを備えた吸込口５ａが開口し、この吸込口５ａに連通する底部ダクト５２、この底部ダクト５２に連通して内外２層のダクトを形成する背面ダクト５３Ｂ，５３Ｃ、天井ダクト５４Ｂ，５４Ｃからなる。
【０００７】
本体ケース１の前面上部で天井ダクト５４Ｂ，５４Ｃにはハニカム整流体５５を備え吸込口５ａに対向してハニカム整流体５５を備えた吹出口５ｂ，５ｃが開口し、背面ダクト５３Ｂには冷却器７が配設され、底部ダクト５２には冷却器７の上流で冷気送風用の庫内ファン８がそれぞれ配設される。
【０００８】
この庫内ファン８と吸込口５ａとの間に位置し、デッキパン３ａと吸込口５ａとの間に上方から出し入れ自在に配置され、吸込口５ａから吸込まれた空気に含まれる塵埃を捕捉するための集塵フィルタ９が設置してあり、吸込口５ａの全幅に亘るものである。
【０００９】
なお、底部ダクト５２内には、冷却器７の除霜や清掃時のドレン水をケース外に導くための図示しない配管に接続されているドレン排水口１０が配設されている。
【００１０】
この構成において、ショーケースの保冷動作は周知の通りであり、庫内ファン８によって空気が吸込口５ａから底部ダクト５２に吸込まれ背面ダクト５３Ｂ，５３Ｃに分岐し、背面ダクト５３Ｂを流れる空気流が冷却器７で冷却され天井ダクト５４Ｂの吹出口５ｂから吹出して開口部１ａに庫内４を外気から遮断する冷気エアカーテンを形成するとともに、庫内商品を冷却保冷する。更に背面ダクト５３Ｃを流れる空気流が天井ダクト５４Ｃの吹出口５ｃから吹出し、冷気エアカーテンの外側にエアカーテンを形成し冷気エアカーテンを保護する。
【００１１】
ここで、吸込口５ａから吸込んだ冷気に含まれる塵埃は、集塵フィルタ９によって捕捉されることにより、冷気循環通風路５への侵入が阻止される。
【００１２】
この集塵フィルタ９は、定期的に清掃が必要であり、一週間に１回程度、集塵フィルタ９を取り外して、集塵フィルタ９に付着した塵埃の除去を行っている。
【先行技術文献】
【特許文献】
【００１３】
【特許文献１】特開２００５−３４３０４号公報
【発明の概要】
【発明が解決しようとする課題】
【００１４】
このように、上記したショーケースの集塵フィルタ９は、定期的に付着した塵埃の清掃が必要となるため、取り外して清掃する必要があり、また清掃を忘れた場合は集塵フィルタ９の目詰りにより冷気循環量が低下して冷却性能が劣る可能性がある。
【００１５】
そこで、本発明は上記の点に鑑みなされたものであり、集塵フィルタの清掃作業を簡略化することのできるショーケースを提供することを目的とする。
【課題を解決するための手段】
【００１６】
上記目的を達成するために、本発明によれば、一面に開口部を有するケース本体を形成する外箱と底部パネル、背面パネル、天井パネルにより形成される内箱と、この外箱と内箱との間に、その左右を閉塞する一対の側板を備え、両端が開口部を臨む冷気吹出口および冷気吸込口、底部ダクト、背面ダクト、天井ダクトとからなる冷気循環通風路と、冷気循環通風路の背面ダクトに配設させた冷却器、冷気循環通風路の底部ダクトに庫内ファンと、前記内箱の背面パネルに上下複数段に並べて架設した商品陳列棚とを備えてなり、前記冷気吹出口から庫内前面域に冷気エアカーテンを吹出し形成して庫内を保冷する冷気循環式のショーケースにおいて、前記冷却器の上流側近傍で、かつ冷気循環通風路の背面ダクトに集塵フィルタを設けたことを特徴とする。
【００１７】
前記集塵フィルタは、前記冷却器の上流側近傍で、かつ冷気循環通風路の背面ダクト内略全幅に亘るように設けたことを特徴とする。
【００１８】
前記集塵フィルタは、前記冷却器の上流側近傍で、かつ前記冷却器の端板から突き出して前後方向に延在する左右一対の略コ字形になる支持枠が向かい合わせに形成され、この支持枠に架け渡して保持されることを特徴とする。
【発明の効果】
【００１９】
本発明は、冷気循環通路の背面ダクトに冷却器を配設し、この冷却器の上流側近傍で、かつ冷気循環通風路の背面ダクト内に集塵フィルタを設けたことにより、前記冷却器の除霜時に発生するドレン水によって前記集塵フィルタを清掃可能となるため、集塵フィルタの定期的な清掃が不要となるという効果が得られる。
【００２０】
また、冷却器の除霜毎に集塵フィルタが洗浄されることになり、集塵フィルタの埃が無くフィルタ詰りによる冷気循環が阻害されることがないため冷却性能が低下しないという効果が得られる。
【図面の簡単な説明】
【００２１】
【図１】本発明の実施の形態を示すショーケースを示す要部拡大側面図である。
【図２】図１における集塵フィルタの取付部分を示す略正面図である。
【図３】従来におけるショーケースの構成を示す略側面図である。
【発明を実施するための形態】
【００２２】
以下、本発明の実施の形態を図１および図２に基づいて説明する。なお、図３のショーケースと同等箇所については同一符号にて示す。
【００２３】
図１は、ショーケースの要部拡大側面図であり、前面開放形のケース本体１と、このケース本体１を形成する断熱筐体からなる外箱２と、庫内４を形成する底部のデッキパン３ａ、背面パネル３ｂ、図示しない天井パネルからなる内箱３と、この内箱３を取り巻いて外箱２との間に左右一対の側板を介して画成し、底部ダクト５２、背面ダクト５３Ｂ，５３Ｃ、図示しない天井ダクトを連通してなる冷気循環通風路５、ケース本体１の前面開口部に向けて冷気循環通風路５の上下端に形成した図示しない吹出口，吸込口５ａ、上下複数段に並べて庫内を形成する内箱３の背面パネル３ｂに棚ブラケット６ａを介して架設した商品陳列棚６、冷気循環通風路５の背面ダクト５３Ｂに配設した冷却器７、この冷却器７の上流で底部ダクト５２に配した冷気送風用の庫内ファン８、冷却器７の上流側近傍に配置され、吸込口５ａから吸込まれた空気に含まれる塵埃を捕捉するための集塵フィルタ９０、冷却器７の除霜や清掃時のドレン水をケース外に導くための図示しない配管に接続されているドレン排水口１０からなる。
【００２４】
この集塵フィルタ９０は、図２に示すように、冷却器７の上流側で、冷却器７の端板７ａから冷気循環通風路５（背面ダクト５３Ｂ）に突き出して前後方向に延在する左右一対のコ字形になる支持枠７１が向かい合わせに形成され、この左右一対の支持枠７１に架け渡して保持される。
【００２５】
この構成において、保冷運転時には、吸込口５ａから流入した空気を冷却器７で熱交換することにより、流入した空気を冷却するためのもので、底部ダクト５２から流入した空気は、背面ダクト５３Ｂに配設されている冷却器７の周囲を通過する際に冷却され、この冷気が冷気循環通風路５の背面ダクト５３Ｂ、天井ダクトを経由して吹出口から吹き出し、吹き出された冷気が庫内前面の開口面域に冷気エアカーテンとして下方の吸込口５ａに向けて形成するとともに、庫内商品を冷却保冷する。また、背面ダクト５３Ｃを流れる空気流が天井ダクトの吹出口から吹出し、冷気エアカーテンの外側にエアカーテンを形成し冷気エアカーテンを保護する。
【００２６】
この冷気循環により、吸込口５ａから吸入された空気に含まれる塵埃は、冷却器７の上流側に配置した集塵フィルタ９０によって捕捉され、冷却器７の下流側への侵入を阻止されるため、吹出口から塵埃が吹き出させることはない。
【００２７】
この集塵フィルタ９０の清掃タイミングは、保冷運転によって冷却器７に付着した霜を一定時間毎に除霜する除霜運転を利用して行われることになる。
【００２８】
すなわち、除霜時間となると、図示しない除霜ヒータが起動して冷却器７に付着した霜が除霜ヒータによって融解され、その際に生じたドレン水は冷却器７の上流側の配置した集塵フィルタ９０に導かれて滴下することになり、集塵フィルタ９０に付着した塵埃がドレン水によって取り除かれ、排水となって排水口１０に向かって流れ、外部に排出される。
【００２９】
このように、集塵フィルタ９０は、従来のように頻繁に取り外して清掃する必要が無くなるため、メンテナンス作業が簡略化できる。
【００３０】
なお、集塵フィルタ９０を取り外す際には、デッキパン３ａを取り外すことにより、前方から集塵フィルタ９０が視認可能となり、前方へ引き抜きことにより取外し可能となる。
【００３１】
また、除霜方法は、除霜ヒータに限るものではなく、冷却運転を停止して庫内ファン８を正転あるいは逆転させて、冷却器７の除霜を行ってもよい。
【符号の説明】
【００３２】
１        ケース本体
３ａ      背面パネル
５        冷気循環通風路
５２      底部ダクト
５ａ      吸込口
５３Ｂ    背面ダクト
６        商品陳列棚
７        冷却器
７ａ      端板
７１      支持枠
８        庫内ファン
９，９０  集塵フィルタ
１０      排水口
【図１】
2014045777.tif 000003
【図２】
2014045777.tif 000004
【図３】
2014045777.tif 000005